【手続補正書】
【提出日】平成24年10月12日(2012.10.12)
【手続補正１】
【補正対象書類名】明細書
【補正対象項目名】発明の名称
【補正方法】変更
【補正の内容】
【発明の名称】おむつ処理器、弾性保持膜、および、おむつパッケージの回転防止構造
【手続補正２】
【補正対象書類名】明細書
【補正対象項目名】０００１
【補正方法】変更
【補正の内容】
【０００１】
この発明は、おむつ処理器に関し、より特定的には、おむつのパッケージ処理を確実に行なうことのできるおむつ処理器、弾性保持膜、および、おむつパッケージの回転防止構造に関する。
【手続補正３】
【補正対象書類名】明細書
【補正対象項目名】００１０
【補正方法】変更
【補正の内容】
【００１０】
したがって、この発明の目的は、パッケージの捩じり部が開放することがない構造を有するおむつ処理器、弾性保持膜、および、おむつパッケージの回転防止構造を提供することにある。
【手続補正４】
【補正対象書類名】明細書
【補正対象項目名】００１１
【補正方法】変更
【補正の内容】
【００１１】
この発明に基づいたおむつ処理器においては、筒状の本体部と、前記本体部の内側に回転可能に保持され、円筒状の可撓性チューブを積層して収容する管状のパッケージ収容手段と、前記パッケージ収容手段の上端部から内面部の下方に向かって前記可撓性チューブを送り出した状態において、前記可撓性チューブを通過させる開口を有する弾性保持膜と、を備える。
【手続補正５】
【補正対象書類名】明細書
【補正対象項目名】００１２
【補正方法】変更
【補正の内容】
【００１２】
おむつを前記可撓性チューブ内において下方に押し進めた後に、前記パッケージ収容手段を前記本体部に対して回転させて前記可撓性チューブを捩じることにより、おむつパッケージが順次形成され、前記おむつパッケージを押し進めた際に、前記弾性保持膜の前記開口が前記おむつパッケージにより外側へ向けて押し広げられることにより弾性変形し、前記弾性保持膜が前記おむつパッケージに食い込むことにより、前記弾性保持膜による前記おむつパッケージに対する保持力が高められて、前記おむつパッケージの回転が防止される。
【手続補正６】
【補正対象書類名】明細書
【補正対象項目名】００１３
【補正方法】変更
【補正の内容】
【００１３】
この発明に基づいたおむつ処理器の他の形態においては、おむつパッケージを順次形成するためのおむつ処理器であって、円筒状の可撓性チューブを積層して収容する管状のパッケージ収容手段と、前記パッケージ収容手段を回転可能に支持する本体部と、前記パッケージ収容手段の上端部から下方に向かって送り出された前記可撓性チューブを通過させる開口を有する弾性保持膜とを備える。
【手続補正７】
【補正対象書類名】明細書
【補正対象項目名】００１４
【補正方法】変更
【補正の内容】
【００１４】
おむつを前記可撓性チューブ内において下方に押し進めた後に、前記パッケージ収容手段を前記本体部に対して回転させて前記可撓性チューブを捩じることにより、前記おむつパッケージが順次形成され、前記弾性保持膜は、前記おむつが前記可撓性チューブ内において下方に押し進められることによって前記開口を通過する際には、前記おむつとともに前記おむつパッケージを形成しつつある前記可撓性チューブの外面に沿って変形するとともに、前記おむつとともに前記おむつパッケージを形成しつつある前記可撓性チューブの外面に対して食い込むように当接し、前記可撓性チューブを捩じることにより前記おむつパッケージを形成する際には、前記弾性保持膜が前記おむつとともに前記おむつパッケージを形成しつつある前記可撓性チューブの外面に食い込むように当接していることによって、前記おむつとともに前記おむつパッケージを形成しつつある前記可撓性チューブの回転が防止され、形成された前記おむつパッケージの外面に対して前記弾性保持膜が食い込むように当接していることによって、前記おむつパッケージの捩じり部が開放されることが防止される。
【手続補正８】
【補正対象書類名】明細書
【補正対象項目名】００１５
【補正方法】変更
【補正の内容】
【００１５】
この発明に基づいた弾性保持膜においては、おむつ処理器の内部に設けられた円筒状の可撓性チューブの内部において、前記おむつ処理器の下方に向けておむつを押し進めた後に、前記可撓性チューブを回転させて前記可撓性チューブを捩じることにより、おむつパッケージが順次形成されるおむつ処理器に採用される弾性保持膜であって、当該弾性保持膜は、前記おむつ処理器の内部において前記可撓性チューブを通過させる開口を有し、前記おむつパッケージを押し進めた際に、前記弾性保持膜の前記開口が前記おむつパッケージにより外側へ向けて押し広げられることにより弾性変形し、当該弾性保持膜が前記おむつパッケージに食い込むことにより、前記弾性保持膜による前記おむつパッケージに対する保持力が高められて、前記おむつパッケージの回転が防止される。
【手続補正９】
【補正対象書類名】明細書
【補正対象項目名】００１６
【補正方法】変更
【補正の内容】
【００１６】
この発明に基づいたおむつパッケージの回転防止構造においては、おむつ処理器の内部に設けられた円筒状の可撓性チューブの内部において、前記おむつ処理器の下方に向けておむつを押し進めた後に、前記可撓性チューブを回転させて前記可撓性チューブを捩じることにより、おむつパッケージが順次形成されるおむつ処理器に採用されるおむつパッケージの回転防止構造であって、前記おむつ処理器の内部には、前記おむつ処理器の内部において前記可撓性チューブを通過させる開口を有する弾性保持膜が設けられ、前記おむつパッケージを押し進めた際に、前記弾性保持膜の前記開口が前記おむつパッケージにより外側へ向けて押し広げられることにより弾性変形し、前記弾性保持膜が前記おむつパッケージに食い込むことにより、前記弾性保持膜による前記おむつパッケージに対する保持力が高められて、前記おむつパッケージの回転が防止される、おむつパッケージの回転防止構造。
【手続補正１０】
【補正対象書類名】明細書
【補正対象項目名】００１７
【補正方法】変更
【補正の内容】
【００１７】
この発明に基づいたおむつ処理器、弾性保持膜、および、おむつパッケージの回転防止構造によれば、弾性保持膜を設けることにより、おむつパッケージに対して、弾性保持膜が取囲むように当接するため、おむつパッケージとの接触面積を効果的に拡大させることが可能になる。その結果、弾性保持膜によるおむつパッケージの保持力が高まり、おむつパッケージの回転を確実に防止することが可能になる。
【手続補正１１】
【補正対象書類名】特許請求の範囲
【補正対象項目名】全文
【補正方法】変更
【補正の内容】
【特許請求の範囲】
【請求項１】
筒状の本体部と、
前記本体部の内側に回転可能に保持され、円筒状の可撓性チューブを積層して収容する管状のパッケージ収容手段と、
前記パッケージ収容手段の上端部から内面部の下方に向かって前記可撓性チューブを送り出した状態において、前記可撓性チューブを通過させる開口を有する弾性保持膜と、
を備え、
おむつを前記可撓性チューブ内において下方に押し進めた後に、前記パッケージ収容手段を前記本体部に対して回転させて前記可撓性チューブを捩じることにより、おむつパッケージが順次形成され、
前記おむつパッケージを押し進めた際に、前記弾性保持膜の前記開口が前記おむつパッケージにより外側へ向けて押し広げられることにより弾性変形し、前記弾性保持膜が前記おむつパッケージに食い込むことにより、前記弾性保持膜による前記おむつパッケージに対する保持力が高められて、前記おむつパッケージの回転が防止される、おむつ処理器。
【請求項２】
おむつパッケージを順次形成するためのおむつ処理器であって、
円筒状の可撓性チューブを積層して収容する管状のパッケージ収容手段と、
前記パッケージ収容手段を回転可能に支持する本体部と、
前記パッケージ収容手段の上端部から下方に向かって送り出された前記可撓性チューブを通過させる開口を有する弾性保持膜と、を備え、
おむつを前記可撓性チューブ内において下方に押し進めた後に、前記パッケージ収容手段を前記本体部に対して回転させて前記可撓性チューブを捩じることにより、前記おむつパッケージが順次形成され、
前記弾性保持膜は、前記おむつが前記可撓性チューブ内において下方に押し進められることによって前記開口を通過する際には、前記おむつとともに前記おむつパッケージを形成しつつある前記可撓性チューブの外面に沿って変形するとともに、前記おむつとともに前記おむつパッケージを形成しつつある前記可撓性チューブの外面に対して食い込むように当接し、
前記可撓性チューブを捩じることにより前記おむつパッケージを形成する際には、前記弾性保持膜が前記おむつとともに前記おむつパッケージを形成しつつある前記可撓性チューブの外面に食い込むように当接していることによって、前記おむつとともに前記おむつパッケージを形成しつつある前記可撓性チューブの回転が防止され、
形成された前記おむつパッケージの外面に対して前記弾性保持膜が食い込むように当接していることによって、前記おむつパッケージの捩じり部が開放されることが防止される、おむつ処理器。
【請求項３】
おむつ処理器の内部に設けられた円筒状の可撓性チューブの内部において、前記おむつ処理器の下方に向けておむつを押し進めた後に、前記可撓性チューブを回転させて前記可撓性チューブを捩じることにより、おむつパッケージが順次形成されるおむつ処理器に採用される弾性保持膜であって、
当該弾性保持膜は、前記おむつ処理器の内部において前記可撓性チューブを通過させる開口を有し、
前記おむつパッケージを押し進めた際に、前記弾性保持膜の前記開口が前記おむつパッケージにより外側へ向けて押し広げられることにより弾性変形し、当該弾性保持膜が前記おむつパッケージに食い込むことにより、前記弾性保持膜による前記おむつパッケージに対する保持力が高められて、前記おむつパッケージの回転が防止される、弾性保持膜。
【請求項４】
おむつ処理器の内部に設けられた円筒状の可撓性チューブの内部において、前記おむつ処理器の下方に向けておむつを押し進めた後に、前記可撓性チューブを回転させて前記可撓性チューブを捩じることにより、おむつパッケージが順次形成されるおむつ処理器に採用されるおむつパッケージの回転防止構造であって、
前記おむつ処理器の内部には、前記おむつ処理器の内部において前記可撓性チューブを通過させる開口を有する弾性保持膜が設けられ、
前記おむつパッケージを押し進めた際に、前記弾性保持膜の前記開口が前記おむつパッケージにより外側へ向けて押し広げられることにより弾性変形し、前記弾性保持膜が前記おむつパッケージに食い込むことにより、前記弾性保持膜による前記おむつパッケージに対する保持力が高められて、前記おむつパッケージの回転が防止される、おむつパッケージの回転防止構造。